(57)【要約】【課題】運搬台車と肥料散布装置の両機能を兼ね備え、経費の節減が図れるだけでなく、うねをまたいでの走行で安定した施肥作業が可能な運搬台車兼用肥料散布装置を提供する。【解決手段】複数本の横桟バー８が並列する矩形状に形成した荷台９の両側で前後の位置に脚部材１０を設けてフレーム２を形成し、フレーム２に設けた動力源３による車輪４の駆動によって自走する運搬台車５と、この運搬台車５の荷台９に取外し可能となるよう固定する施肥機６の組み合わせからなり、前記荷台９に固定した施肥機６の肥料散布機構１８を前記車輪４の回転力で駆動する。【選択図】図１
0003153063.tif 000002
【実用新案登録請求の範囲】
【請求項１】
フレームに設けた動力源による車輪の駆動によって、うねをまたいで走行可能な運搬台車と、この運搬台車のフレームに取外し可能となるよう固定する施肥機からなり、
前記運搬台車の単用による運搬作業と、この運搬台車に施肥機を取付けることによる施肥作業を選択的に行えるようにした運搬台車兼用肥料散布装置。
【請求項２】
上記運搬台車に、変速機と、この変速機と車輪を連動する回転伝達機構を設け、運搬台車に取付けた施肥機の肥料散布機構を前記変速機と回転伝達手段を介して連動し、前記施肥機の肥料散布機構を運搬台車の車輪回転力で駆動することで、運搬台車の走行速度が変化しても肥料、薬剤の散布量を一定に保つことができるようにした請求項１に記載の運搬台車兼用肥料散布装置。
【請求項３】
上記施肥機が肥料散布機構をモータにより駆動する方式であり、上記運搬台車に、車輪の回転を検出する車速検出センサーと、この車速検出センサーによる車速検出信号で前記肥料散布機構のモータを制御する制御機構を設け、運搬台車の走行速度に対応して前記制御機構がモータを制御することで肥料、薬剤の散布量を制御するようにした請求項１に記載の運搬台車兼用肥料散布装置。
【考案の詳細な説明】
【技術分野】
【０００１】
この考案は、各種農作物や農作業の資材を運搬したり、耕作地に肥料や薬剤を散布する作業を行うことができる運搬台車兼用肥料散布装置に関する。
【背景技術】
【０００２】
各種農作物の育成には、苗や収穫した農作物を運搬する作業と、苗や農作物に対する肥料や薬剤の散布作業がある。
【０００３】
従来、苗や収穫した農作物を運搬する作業は、うねをまたいで走行可能となる運搬台車を使用し、この運搬台車の荷台上に苗や収穫した農作物を載せて移動することにより、省力化を図るようにしている。
【０００４】
また、肥料や薬剤の散布作業は、人力又は駆動源によってうね間の溝を走行する移動式の肥料散布装置や農耕機(トラクタ、耕運機等の車両）に取付けた施肥機を用い、人力による移動や車両の自力走行と共に、前記肥料散布装置や施肥機のホッパー内に収納した肥料や薬剤を定量的に散布するようにしている。
【考案の概要】
【考案が解決しようとする課題】
【０００５】
上記のように、従来は、苗や収穫した農作物を運搬する作業と肥料や薬剤を散布する作業は、それぞれ独立した別の作業と考え、このため、各作業ごとに専用の運搬台車と肥料散布装置又は施肥機を用意していた。
【０００６】
しかし、運搬台車は、苗や収穫物の運搬作業だけにしか使うことができない機構のため、汎用性がなく、年間の稼動時間が限られることになり、コスト的に無駄が多い。
【０００７】
又、施肥においては、トラクタ、耕耘機に取付け使用される施肥機においては、うねをまたいでの施肥は不可能で、１輪や２輪の専用肥料散布装置の場合は、うね間の溝を走行するため、不安定な走行で転倒する恐れがあり、作業性が悪いという問題がある。
【０００８】
そこで、この考案の課題は、運搬台車と施肥機の組み合わせを選択することにより、運搬台車と肥料散布装置の両機能を兼ね備え、経費の節減が図れるだけでなく、うねをまたいでの走行で安定した施肥作業が可能な運搬台車兼用肥料散布装置を提供することにある。
【課題を解決するための手段】
【０００９】
上記の課題を解決するため、この考案は、フレームに設けた動力源による車輪の駆動によって、うねをまたいで走行可能な運搬台車と、この運搬台車のフレームに取外し可能となるよう固定する施肥機からなり、前記運搬台車の単用による運搬作業と、この運搬台車に施肥機を取付けることによる施肥作業を選択的に行えるようにしたものである。
【００１０】
上記運搬台車に、変速機と、この変速機と車輪を連動する回転伝達機構を設け、運搬台車に取付けた施肥機を前記変速機と回転伝達手段を介して連動し、前記施肥機を運搬台車の車輪回転力で駆動することで、運搬台車の走行速度が変化しても肥料、薬剤の散布量を一定に保つことができるようにしてもよい。
【００１１】
また、上記施肥機が肥料散布機構をモータにより駆動することもできる。この場合は、
運搬台車の車軸からの機械的駆動機構は不要で、散布量を設定するためのモータ回転数制御は、コントロールボックスに設けたつまみ等の回転操作で調整できる構造になっている。
【００１２】
更に、上記施肥機において、上記運搬台車に、車輪の回転を検出する車速検出センサーと、この車速検出センサーによる車速検出信号で前記肥料散布機構のモータを制御する制御機構を設け、運搬台車の走行速度に対応して前記制御機構がモータを制御することで肥料、薬剤の散布量を制御するようにした構造も可能である。
【００１３】
ここで、上記運搬台車は、複数本の横桟バーが並列する矩形状に形成した荷台の両側で前後の位置に脚部材を設けてフレームを形成し、前記荷台は前方端部に位置する横桟バーが取外し可能になっており、前記脚部材の下部に取付けた車輪をこの脚部材に取付けた動力源によって駆動するようにしている。
【００１４】
上記運搬台車におけるフレームの荷台は、金属製の角パイプを用い、両側の側部材間に複数の横桟バーを一定間隔の配置で固定し、うねをまたぐことのできる長さの長方形に形成され、走行方向の後部に位置する横桟バーにグリップが固定され、走行方向の前部に位置する横桟バーは、両側の側部材に固定した上向きコ字状のホルダーに両端部を嵌め込み、ピンやボルトで着脱可能に取付けられている。
【００１５】
上記両側の側部材には、前後の位置に下方に延びる脚部材が固定され、各脚部材の下端部に車輪が取付けられ、両側の前輪又は後輪が、動力源であるエンジン又はモータによりクラッチを介して駆動され、グリップのレバーで両側クラッチのオン、オフを制御することにより、走行方向を変えることができるようになっている。
【００１６】
また、走行方向の後部に位置する脚部材にステップが固定され、運搬作業や施肥作業時に、作業者がステップに載って移動することが可能になっている。
【００１７】
上記施肥機は、肥料を収納するホッパーに上記荷台の横桟バーに対する固定金具が設けられ、この施肥機の肥料散布機構は、前記ホッパーの下部排出口の部分にロールを設け、このロールが外周面に形成した計量凹部内に取込んだ肥料を回転により排出して散布するロール繰り出し方式を採用している。
【００１８】
この肥料散布機構のロールの駆動には、運搬台車の車輪の回転から駆動をとる方式と、バッテリーからの電源で作動するモータで駆動する方式があり、前者の運搬台車の車輪の回転から駆動をとる方式は、前記ロールの回転を、運搬台車の車輪から変速機と回転伝達機構及び回転伝達手段を介して得るようにし、前記変速機の減速比を変えてロールの回転数を変化させるか、又は、前記計量凹部の異なるロールを交換することで散布量を調節するようになっている。
【００１９】
また、後者のモータで駆動する方式は、散布量や運搬台車速度に応じてモータ回転数を設定する方法と、上記制御機構に面積当たりの散布量や散布幅の情報を設定しておき、車速検出センサーで検出した運搬台車の車速から散布量を演算し、ロールを駆動するモータの回転数を制御することで、運搬台車の走行速度に対応した肥料、薬剤の散布量を得ることができる方法もある。
【００２０】
上記施肥機に設けた固定金具は、ホッパーの下部で肥料散布機構の後部に位置し、横桟バーに上から嵌め込み、ボルトの締め付けによって固定するようになっており、上記運搬台車は、この施肥機を取付ける場合、前部に位置する横桟バーを取り外し、前から二番目に位置する横桟バーに固定することにより、施肥機が運搬台車の前方に大きく突出するのを防ぎ、全体が嵩張らないようにすると同時に、全体の重心の安定を図ることができるようにしている。
【考案の効果】
【００２１】
この考案によると、自走式運搬台車と、この運搬台車に取外し可能に固定する施肥機との組合わせにより、運搬台車はそのままで苗や収穫した農作物の運搬に使用できると共に、運搬台車は施肥機を取付ければ肥料散布装置となり、一台の運搬台車で運搬作業と施肥作業をこなせることができ、運搬台車と施肥機の組合わせによって多機能化を図り、運搬台車と肥料散布装置を別々に用意する場合に比べて経費の節減が可能になる。
【００２２】
また、運搬台車が肥料散布装置の一部を兼ねることで、農耕機（トラクタ、耕耘機）では不可能なうねをまたいでの走行となり、安定した施肥作業が行えると共に、施肥機の肥料散布機構を運搬台車の車輪回転に合わせて駆動することにより、運搬台車の走行速度と肥料散布機構の作動を同調させることができ、運搬台車の走行速度が変化しても肥料や薬剤の散布を一定に保つことができる。
【図面の簡単な説明】
【００２３】
【図１】この考案に係る運搬台車兼用肥料散布装置を構成する運搬台車と施肥機の分解斜視図
【図２】（ａ）は運搬台車兼用肥料散布装置を肥料散布装置として使用した状態の前部側から見た斜視図、（ｂ）は同じく後部側から見た斜視図
【図３】肥料散布装置として実際の散布に使用している状態の斜視図
【図４】運搬台車の荷台における前部横桟バーの着脱構造を示す分解斜視図
【図５】施肥機における肥料散布機構のロール駆動の第１の方式を示し、変速機の出力軸とロールの端部に設けた駆動軸を連結する回転伝達機構の分解斜視図
【図６】施肥機における肥料散布機構のロール駆動の第２の方式を示し、運搬台車兼用肥料散布装置を肥料散布装置として使用した状態の前部側から見た斜視図
【図７】施肥機の肥料散布機構を示し、（ａ）は計量凹部が小さい容積で散布量が少ないロールの例を示す拡大断面図、（ｂ）は計量凹部が中間の容積で散布量が標準のロールの例を示す拡大断面図、（ｃ）は計量凹部が大きい容積で散布量が多いロールの例を示す拡大断面図
【考案を実施するための形態】
【００２４】
以下、この考案の実施の形態を図示例に基づいて説明する。
【００２５】
図１乃至図３のように、この考案の運搬台車兼用肥料散布装置１は、フレーム２に設けた動力源３による車輪４の駆動によって自走する運搬台車５と、この運搬台車５のフレーム２に取外し可能となるよう固定する施肥機６の組み合わせによって形成されている。
【００２６】
上記運搬台車５のフレーム２は、金属製の角パイプを用い、両側の側部材７間に複数の横桟バー８を一定間隔の配置で固定し、うねをまたぐことのできる長さの長方形に形成された荷台９と、前記両側の側部材７の前後の位置に固定した下方に延びる脚部材１０とで形成され、各脚部材１０の下端部に車輪４が取付けられ、運搬台車５は後方向に走行可能になっている。
【００２７】
上記荷台９の走行方向の前部脚部材１０の上端部と、荷台９の後部に位置する横桟バー８にグリップ１１、１２が固定され、また、一方の側方に位置する前後脚部材１０の間に設けた支持台１３の上に、エンジン又はバッテリーにより作動するモータからなる動力源３が設置され、この動力源３と両側の前輪又は後輪である車輪４が、図示詳細を略したが、ミッションとクラッチを介して連動され、後部グリップ１２の部分に、動力源３のオン、オフスイッチやコントローラ、クラッチのオン、オフレバー、ブレーキレバー等の必要なものが設けられ、前記動力源３を制御することで運搬台車５の走行と停止及び走行方向の変更ができるようになっている。
【００２８】
上記荷台９において、図４のように、走行方向の前部に位置する横桟バー８ａは、両側の側部材７に固定した上向きコ字状のホルダー１５に両端部を嵌め込み、ピン１６やボルトで着脱可能に取付けられている。
【００２９】
上記施肥機６は、肥料を収納する開閉可能な蓋付きホッパー１７の下部排出口の部分に、ロール繰り出し方式の肥料散布機構１８を設け、図示の場合、肥料散布機構１８の下部に散布管１９を設け、肥料や薬剤を散布するようになっている。なお、散布管１９は交換可能で散布条件に合った条数で散布可能となっている。
【００３０】
上記肥料散布機構１８は、図７のように、ホッパー１７の下部排出口の部分１７ａに水平のロール２０を回転可能に配置したロール繰り出し方式を採用し、ロール２０の周面には、軸方向の三箇所の位置に、周方向に一定の間隔配置となる計量凹部２１が設けられ、下部排出口１７ａにおけるロール２０の回転方向の前後位置には、ロール２０の外周面に周接するブラシ部材２２が配置され、計量凹部２１内に落ち込んだホッパーの肥料ａや薬剤をブラシ部材２２で定量化するようになっている。なお、図７は、ロール２０の下部を覆うと共に散布管１９を取付けるためのカバー部材を省略している。
【００３１】
上記ロール２０は、ホッパー１７の下部排出口１７ａに対して取換え可能とし、図７のように、前記計量凹部２１の容積が異なるロール２０を交換することで散布量を調節することができるようになっている。ここで、図７（ａ）は計量凹部２１が小さい容積で散布量が少ないロール２０を、図７（ｂ）は計量凹部２１が中間の容積で散布量が標準のロール２０を、図７（ｃ）は計量凹部２１が大きい容積で散布量が多いロール２０を用いた例をそれぞれ示している。
【００３２】
上記施肥機６は、ホッパー１７の下部で肥料散布機構１８の後方位置に、上記荷台９の横桟バー８に対して上から嵌め込んでボルト２３で固定する固定金具２４が設けられ、これによって、施肥機６を運搬台車５に対して着脱自在に取付けることができるようになっている。
【００３３】
運搬台車５に取付けた施肥機６における肥料散布機構１８のロール２０の駆動には、運搬台車５の車輪４の回転から駆動をとる方式と、バッテリーからの電源で作動するモータで駆動する方式がある。
【００３４】
前者の運搬台車５の車輪４の回転から駆動をとる方式は、図１乃至図５に示すように、肥料散布機構１８のロール２０を車輪４の回転力と、変速機２６、回転伝達機構２５、回転伝達手段２８を介して着脱可能に連動し、運搬台車５の走行による車輪４の回転に連動してロール２０が回転し、肥料や薬剤を散布するようになっている。
【００３５】
図５に示すように、運搬台車５のフレーム２における脚部材１０に変速機２６を固定し、この変速機２６の入力軸と直下に位置する車輪４の軸を、スプロケットとエンドレスのチエンを用いた回転伝達機構２５で連動し、前記変速機２６の出力軸２７とロール２０の端部に設けた駆動軸２０ａを、フレキシブルシャフトを用いた回転伝達手段２８で取外し可能に連結し、車輪４の回転数に比例してロール２０が回転するようにしている。又、レバー２６ａの操作で変速機２６の減速比を変え、車輪４とロール２０の回転比を変えることで散布量を調節することができる。
【００３６】
後者のモータで駆動する方式は、図６に示すように、施肥機６に、肥料散布機構１８のロール２０を駆動するモータ３１と、このモータ３１の電源となるバッテリー（図示省略）が設けられ、上記運搬台車５に、車輪４の回転を検出する車速検出センサー３２と、この車速検出センサー３２による車速検出信号で前記肥料散布機構１８のモータ３１を制御する制御機構（コントロールボックス）３３が設けられている。
【００３７】
上記車速検出センサー３２は、エンコーダ、ポテンションメータ又は近接スイッチ等を用い、車輪４の車軸等の回転を検出するように脚部材１０に取付け、運搬台車５の移動による車速を検出するものである。
【００３８】
また、制御機構３３は、運搬台車５におけるフレーム２の適宜位置に取付けられ、この制御機構３３に面積当たりの散布量や散布幅の情報を設定しておき、車速検出センサー３２で検出した運搬台車５の車速から散布量を演算し、ロール２０を駆動するモータ３１の回転数を制御することにより、運搬台車５の走行速度に対応して肥料、薬剤の散布量を制御する。なお、車速検出センサー３２がない場合のモータ３１の回転数は、制御機構３３に設けたつまみ等の回転操作で調整できるようになっている。
【００３９】
図示の場合、上記運搬台車５において、走行方向の前後に位置する脚部材１０の下部位置にステップ３０が固定され、運搬作業や施肥作業時に、作業者がステップ３０に載って移動することが可能になっている。
【００４０】
この考案の運搬台車兼用肥料散布装置は、上記のような構成であり、運搬台車５はそのままの状態で、苗や収穫した農作物を荷台９上に載せることで運搬する作業が行え、エンジン又はモータからなる動力源３によって車輪４を駆動する自走式であるので、運搬作業が省力的に行える。
【００４１】
次に、肥料散布作業を行う場合は、図１のように、運搬台車５における荷台９の最前部横桟バー８ａを取外し、図２のように、施肥機６を荷台９の前から二番目の横桟バー８に固定金具２４とボルト２３で固定し、施肥機６のロール２０の端部に設けた駆動軸２０ａと変速機２６の出力軸２７を回転伝達手段２８で連結する。
【００４２】
図３のように、運搬台車５をうねに対して跨るように配置した状態で、動力源３を起動させて車輪４を駆動することにより運搬台車５を前進走行させると、図１乃至図５に示す、運搬台車５の車輪４の回転から駆動をとる方式の場合、施肥機６のロール２０は車輪４に対して変速機２６で設定した減速比で図７の矢印のように回転し、計量凹部２１内に取込んだ肥料ａや薬剤を下部の位置で排出して散布管１９で耕作面に散布していくことになる。
【００４３】
また、図６に示す、ローラ２０をモータで駆動する方式の場合、制御機構３３が車速検出センサー３２で検出した運搬台車５の車速から散布量を演算し、ロール２０を駆動するモータ３１の回転数を制御することで、ロール２０が図７の矢印のように回転し、運搬台車５の走行速度に対応した量の肥料、薬剤を耕作面に散布していくことになる。
【００４４】
上記のように、施肥機６を荷台９の前から二番目の横桟バー８に固定すれば、施肥機６を取付けたときに、運搬台車５の前方に大きく突出するのを防ぎ、全体が嵩張らないようにできると同時に、運搬台車５全体の重心の安定を図ることができると共に、図３のように、運搬台車５は荷台９に袋入り肥料等を載置することができる。
【００４５】
このように、運搬台車５は単独で苗や収穫した農作物の運搬作業が行えると共に、この運搬台車５に施肥機６を取付ければ、運搬台車５を肥料散布装置として使用することができ、運搬台車５の多目的利用が実現できる。
【００４６】
更に、施肥機６の肥料散布機構１８にロール繰り出し方式を採用し、変速機２６の減速比を変えることでロール２０の回転数を変えて散布量を調節するか、又は、この肥料散布機構１８の前記計量凹部２１の異なるロール２０を交換するようにすれば、散布量を調節できるので作業条件に合った肥料や薬剤の散布が行えることになる。
【符号の説明】
【００４７】
１        運搬台車兼用肥料散布装置
２        フレーム
３        動力源
４        車輪
５        運搬台車
６        施肥機
７        側部材
８        横桟バー
９        荷台
１０      脚部材
１１      グリップ
１２      グリップ
１３      支持台
１５      ホルダー
１６      ピン
１７      ホッパー
１８      肥料散布機構
１９      散布管
２０      ロール
２１      計量凹部
２２      ブラシ部材
２３      ボルト
２４      固定金具
２５      回転伝達機構
２６      変速機
２７      出力軸
２８      回転伝達手段
３０      ステップ
３１      モータ
３２      車速検出センサー
３３      制御機構
【図１】
0003153063.tif 000003
【図２】
0003153063.tif 000004
【図３】
0003153063.tif 000005
【図４】
0003153063.tif 000006
【図５】
0003153063.tif 000007
【図６】
0003153063.tif 000008
【図７】
0003153063.tif 000009